(57)【要約】      （修正有）【課題】電気錠を備えても野外に設置可能なキャビネットの扉ロック構造を提供する。【解決手段】扉２ｂに設けられたハンドル２２を回動操作することで、扉２ｂの背面に縦方向に組み付けられた鎖錠棒２３が伸縮動作し、伸張した鎖状棒２３が本体に設けられたロック装置５に係止して閉状態の扉２ｂが保持される。ロック装置５は、伸張した鎖状棒２３の先端に係止し、鎖状棒２３のロック装置５が係止する部位を、本体の内部方向にＬ字状に折り曲げて形成した水平部とした。【選択図】図１
2020010987.tif 000002
【特許請求の範囲】
【請求項１】
扉に設けられたハンドルを回動操作することで、扉背面に縦方向に組み付けられた鎖錠棒が伸縮動作し、伸張した鎖状棒がキャビネット本体に係止することで閉状態の前記扉が保持されるキャビネットの扉ロック構造であって、
前記キャビネット本体に、伸張した前記鎖状棒の先端に係止して鎖状棒の縮退を阻止するロック装置を設け、
前記鎖状棒の前記ロック装置が係止する部位は、前記鎖状棒を折り曲げて形成した水平部であることを特徴とするキャビネットの扉ロック構造。
【請求項２】
前記鎖状棒の前記水平部は、前記キャビネット本体の内部方向に前記鎖状棒がＬ字状に折り曲げられて形成され、
前記ロック装置は、前記キャビネット本体の内部において前記水平部に係止することを特徴とする請求項１記載のキャビネットの扉ロック構造。
【発明の詳細な説明】
【技術分野】
【０００１】
本発明は、屋外に設置可能なキャビネットの扉ロック構造に関する。
【背景技術】
【０００２】
宅配ボックスは、受取人が不在であっても荷物を配達できるため、受取人と配達業者の双方にとって都合が良く普及が進んでいる。この宅配ボックスは、一般住宅では小型の箱で済むが、集合住宅等の多数の受取人が居る場所では、複数の収容部を備えた大型のものが設置されている。
このような複数の荷物収容部を備えた大型の宅配ボックスとして、例えば特許文献１に記載されたものがある。この特許文献１の宅配ボックスは、個々の荷物収容部に電気錠が設けられ、荷物が収容されたら暗証番号が入力されて施錠される。そして、この暗証番号がインターホン等で受取人である居住者に通知されて、受取人は暗証番号を入力して荷物を受け取ることができ、受取人が不在であっても、間違いの無い配達を実施できた。
【先行技術文献】
【特許文献】
【０００３】
【特許文献１】特開２０１３−１７６５７８号公報
【発明の概要】
【発明が解決しようとする課題】
【０００４】
上記従来の宅配ボックスは、集合住宅のエントランス等の建屋内に設置されるため、雨水の浸入を考慮する必要が無く、収容部毎に電気錠を備えた扉を設けても何ら問題なかった。
しかしながら、大型の宅配ボックスを新たに設置しようとした場合、屋内にスペースが無ければ屋外に設置される場合が出てくる。また、比較的大規模な工場等では、工場入口付近に宅配ボックスがあった方が配達の効率が良く、宅配業者にとって都合が良い。この場合、屋外での設置になるため雨水に対する対策が必要となり、荷物に収容部個々に扉を設けるより、宅配ボックス全体を１つの扉で閉塞してロックする構成がコストも削減でき好ましい。
【０００５】
一方で、屋外に設置されるキャビネットとしては、電気設備を収容するキュービクルに使用されるキャビネットが従来よりある。このキャビネットは、扉に設けられたハンドルにシリンダ錠等の錠が設けられており、施錠することができた。
しかしながら、施解錠するためにはキーが必要であるため、そのままでは宅配ボックスには不向きであり、キーを携行する必要が無く暗証番号等で解錠できる電気錠に変更する必要があった。その場合、ハンドル部は雨水が侵入し易く、電気錠の組み付け場所としては相応しくなかったし、錠を具備したハンドルはそれ自体選択肢が少なく、デザイン上の自由度も制限された。
【０００６】
そこで、本発明はこのような問題点に鑑み、電気錠を備えても野外に設置可能なキャビネットの扉ロック構造を提供することを目的としている。
【課題を解決するための手段】
【０００７】
上記課題を解決する為に、請求項１の発明は、扉に設けられたハンドルを回動操作することで、扉背面に縦方向に組み付けられた鎖錠棒が伸縮動作し、伸張した鎖状棒がキャビネット本体に係止することで閉状態の扉が保持されるキャビネットの扉ロック構造であって、キャビネット本体に、伸張した鎖状棒の先端に係止して鎖状棒の縮退を阻止するロック装置を設け、鎖状棒のロック装置が係止する部位は、鎖状棒を折り曲げて形成した水平部であることを特徴とする。
この構成によれば、鎖状棒に形成された水平部をロック装置が係止するため、鎖状棒の縮退を簡易な構造で阻止でき、扉をロックできる。また、ロック装置はキャビネット本体に設置されるため、ハンドルにロック機能を設ける必要が無く、ハンドル及び扉の選択肢を広くでき、デザイン上も好ましい。
【０００８】
請求項２の発明は、請求項１に記載の構成において、鎖状棒の水平部は、キャビネット本体の内部方向に鎖状棒がＬ字状に折り曲げられて形成され、ロック装置は、キャビネット本体の内部において水平部に係止することを特徴とする。
この構成によれば、鎖状棒をキャビネット本体の内部方向に折り曲げて係止部を形成するため、ロック装置全体をキャビネット本体内部に配置でき、雨水がキャビネットの内側に侵入してもロック装置にかかるのを防止できる。よって、ロック装置を電気錠で構成しても長寿命化を図ることができる。
【発明の効果】
【０００９】
本発明によれば、鎖状棒に形成された水平部をロック装置が係止するため、鎖状棒の縮退を簡易な構造で阻止でき、扉をロックできる。また、ロック装置はキャビネット本体に設置されるため、ハンドルにロック機能を設ける必要が無く、ハンドル及び扉の選択肢を広くでき、デザイン上も好ましい。
【図面の簡単な説明】
【００１０】
【図１】本発明に係るキャビネットの扉ロック構造の一例を示すキャビネットの正面説明図である。
【図２】図１のＡ−Ａ線断面図である。
【図３】図１のＢ−Ｂ線断面図である。
【図４】Ｃ部拡大図である。
【図５】Ｄ部拡大図である。
【図６】ロックを解除したロック装置の拡大図を示し、（ａ）は正面図、（ｂ）は側面図である。
【図７】Ｅ部拡大図である。
【発明を実施するための形態】
【００１１】
以下、本発明を具体化した実施の形態を、図面を参照して詳細に説明する。図１〜３は本発明に係るキャビネットの扉ロック構造の一例を示し、図１はキャビネット１の正面図、図２はＡ−Ａ線断面図、図３はＢ−Ｂ線断面図である。このキャビネット１は、例えば宅配物等の物品を収容する宅配ボックスとして使用される。
キャビネット１は、物品収容部を備えた第１キャビネット２と、第１キャビネット２の側部に配置されて第１キャビネット２に備えられている電気錠の設定等を行う操作部及び制御部を備えた第２キャビネット３とを有し、上部には双方に跨がる屋根板４が設けられている。屋根板４は、出し入れする荷物が濡れないよう庇部を有している。
尚、図１では、本発明の主要部を成す部位（後述する鎖状棒、ロック装置）は前方から見えない部位に配置されているが、説明の都合上実線で示している。
【００１２】
第１キャビネット２は、前面側が開放されて複数の物品を収容する物品収容部を備えた第１キャビネット本体（以下、単に「本体」と称する）２ａと、前面に配置された扉２ｂとを有している。第２キャビネット３は、前面側が開放されて機器が収容される第２キャビネット本体３ａと、前面に配置された扉３ｂとを有している。
第１キャビネット２の扉２ｂは、観音開きする左右一対から成り、第２キャビネット３の扉３ｂは片開きする扉となっている。
そして、第１キャビネット２に本発明の扉ロック構造が適用され、扉２ｂをロックするための電気錠から成るロック装置５が組み付けられている。以下、このロック装置５を設けた第１キャビネット２を具体的に説明する。
【００１３】
本体２ａの開放された前面は、周囲の側板、天板から連続形成された鋼板を折り曲げて形成したフレーム（前面フレーム）２１が周設され、前面フレーム２１の内側が開口されている。観音開きする扉２ｂは、前面フレーム２１を含む本体２ａの前面を覆い、前面開口部Ｐを閉塞するよう構成されている。扉２ｂは左右対称に形成され、開放端側である本体２ａの中央付近にハンドル２２がそれぞれ設けられている。このハンドル２２の操作で開閉操作を可能としている。但し、閉扉した際に前面開口部Ｐの中央部に隙間が発生しないよう、重なり部を有するよう構成されている。
そして、扉２ｂの背面には、ハンドル２２の回動操作で上下方向に伸縮動作する鎖状棒２３が組み付けられており、伸張すると鎖状棒２３の上下端部が本体２ａに係止し、縮退すると係止が解除されるよう構成されている。
【００１４】
具体的に、鎖状棒２３は、図１に示すように一対のロッド棒２３ａ，２３ｂで構成されている。ハンドル２２から上方に伸びた一方の上側ロッド棒２３ａは、先端が本体２ａの上部に係止するよう配置され、ハンドル２２から下方に伸びた他方の下側ロッド棒２３ｂは、先端が本体２ａの下部に係止するよう配置されている。
【００１５】
尚、図１は鎖状棒２３を伸張させて本体２ａに係止した状態を示している。また、ロッド棒２３ａ，２３ｂはそれぞれ、扉２ｂの背面に設けられた支持部材２４で保持されて、本体２ａの特定の部位に係止するよう構成されている。また図３では、第１キャビネット２の扉２ｂは、閉状態を破線、開状態を実線で示し、双方の状態を示している。
【００１６】
上側ロッド棒２３ａと下側ロッド棒２３ｂは、扉２ｂの背面においてハンドル２２の回転軸に取り付けられた連結片（図示せず）に、回転軸を中心とした左右の点対称位置にそれぞれの基部が軸着されている。ハンドル２２の操作を受けて連結片が回動することで、２本のロッド棒２３ａ，２３ｂが上下動し、鎖状棒２３は伸縮動する。そのため、扉２ｂを閉じた状態で鎖状棒２３を伸張させると、上側ロッド棒２３ａの先端は前面フレーム２１の上辺の背部に入り込み、下側ロッド棒２３ｂは前面フレーム２１の下辺の背部に入り込む。この結果、扉２ｂの上下が本体２ａに係止して閉状態が保持される。
【００１７】
図４はＣ部拡大図、図５はＤ部拡大図であり、何れも鎖状棒２３を伸張して扉２ｂをロック装置５がロックした状態を示している。図５に示すように、ロック装置５は本体２ａの内部となる前面フレーム２１の背部に配置されている。そして、上側ロッド棒２３ａの先端は、本体２ａの内部方向（奥行方向）にＬ字状に折り曲げられており、この折り曲げた水平部Ｓがロック装置５に把持されてロックされる。
伸張操作された鎖状棒２３は、上側ロッド棒２３ａの先端が、本体２ａの前面フレーム２１の裏側に入り込んで係止し、閉扉状態が保持されると同時に、先端がロック装置５の凹部５ｂに入り込み、ロック装置５の凹部５ｂ内に配置されている係止片５ａが上側ロッド棒２３ａの水平部Ｓを把持するように係止する。上側ロッド棒２３ａを係止した係止片５ａは、回動が禁止されてロック状態となり、上側ロッド棒２３ａの下方への抜け動作が阻止される。
【００１８】
このロック状態は、第２キャビネット３に設けられている電気錠であるロック装置５の操作部（図示せず）を解除操作することで解除される（詳述せず）。
尚、鎖状棒２３が伸張すると、鎖状棒２３の下端である下側ロッド棒２３ｂの先端も下方へ突出して本体２ａの前面フレーム２１の裏面に入り込んで係止する。図７はＤ部拡大図であり、鎖状棒２３の下端が本体２ａに係止した状態を示している。
【００１９】
図６はロックを解除して鎖状棒２３を縮退させた状態のロック装置５の拡大図を示し、（ａ）は図４に対応する正面図、（ｂ）は図５に対応する側面図である。電気錠の解錠操作により、ロック装置５の係止片５ａは回動可能となる。この状態でハンドル２２を回動することで鎖状棒２３は縮退し、ロック装置５から先端の水平部Ｓが抜け出ると共に、本体２ａとの係止も解除される。
こうして、扉２ｂのロック／ロック解除が実施される。
【００２０】
このように、鎖状棒２３に形成された水平部Ｓをロック装置５が係止するため、鎖状棒２３の縮退を簡易な構造で阻止でき、扉２ｂをロックできる。また、ロック装置５は本体２ａに設置されるため、ハンドル２２にロック機能を設ける必要が無く、ハンドル２２及び扉２ｂの選択肢を広くでき、デザイン上も好ましい。
更に、鎖状棒２３を本体２ａの内部方向に折り曲げて係止部を形成するため、ロック装置５全体を本体２ａの内部に配置でき、雨水がキャビネット１の内側に侵入してもロック装置５にかかるのを防止できる。よって、ロック装置５を電気錠で構成しても長寿命化を図ることができる。
【００２１】
尚、上記実施形態では、鎖状棒２３の上端にロック装置５を設けているが、下端に設けても良いし、上下双方に設けても良い。
また、Ｌ字状に折り曲げて水平部Ｓを形成しているが、コ字状に折り曲げて水平部Ｓを形成しても良いし、Ｕ字状に折り曲げても良く水平部は僅かな部分であっても、ロック装置５が把持できれば良い。
【符号の説明】
【００２２】
１・・キャビネット、２・・第１キャビネット、２ａ・・本体（キャビネット本体）、２ｂ・・扉、５・・ロック装置、２２・・ハンドル、２３・・鎖状棒、２３ａ・・上側ロッド棒、２３ｂ・・下側ロッド棒、Ｓ・・水平部。
【図１】
2020010987.tif 000003
【図２】
2020010987.tif 000004
【図３】
2020010987.tif 000005
【図４】
2020010987.tif 000006
【図５】
2020010987.tif 000007
【図６】
2020010987.tif 000008
【図７】
2020010987.tif 000009